(57)【要約】  【課題】外部メディアの残容量を短時間で表示することを可能とする。  【解決手段】半導体メモリを有するリムーバブルな記録メディアを装着する装着部と、記録メディアに対して記録情報を記録する記録部と、記録メディアの識別コードおよびファイル構造を示すデータからなる識別情報と記録メディアの容量情報とを対応付けて記憶し、記録メディアの容量情報が変化した場合に該記録メディアの容量情報が更新される記憶部とを有する。制御部が装着される記録メディアの識別情報と記憶部に記憶されている識別情報とが一致するか否かを判断し、一致する場合に容量情報を記憶部から取得する。【選択図】図３
2013089277.tif 000002
【特許請求の範囲】
【請求項１】
半導体メモリを有するリムーバブルな記録メディアを装着する装着部と、
前記記録メディアに対して記録情報を記録する記録部と、
前記記録メディアの識別コードおよびファイル構造を示すデータからなる識別情報と前記記録メディアの容量情報とを対応付けて記憶し、前記記録メディアの容量情報が変化した場合に該記録メディアの前記容量情報が更新される記憶部と、
前記装着部に装着される記録メディアの識別情報と前記記憶部に記憶されている識別情報とが一致するか否かを判断し、一致する場合に前記容量情報を前記記憶部から取得する制御部と
を有する情報記録装置。
【請求項２】
前記装着部に装着される記録メディアの識別情報と前記記憶部に記憶されている識別情報とが一致しない場合に、装着されている前記記録メディアに対してアクセスすることによって、容量情報を取得する請求項１に記載の情報記録装置。
【請求項３】
前記容量情報を取得する処理は、記録メディアに対するアクセス操作が指示されていない期間でなされる請求項２に記載の情報記録装置。
【請求項４】
前記記憶部は、前記装着部に装着された最新の記録メディアから遡って所定個数の異なる前記記録メディアに関して、前記容量情報を記憶する請求項１に記載の情報記録装置。
【請求項５】
複数種類の前記記録メディアの識別情報と前記容量情報とが前記記憶部に記憶される請求項４に記載の情報記録装置。
【請求項６】
前記制御部が取得した前記容量情報を要求に応じて提示する請求項１に記載の情報記録装置。
【請求項７】
前記要求がメニュー操作に応じて発生する請求項６に記載の情報記録装置。
【請求項８】
前記要求が記録可能な状態におけるキー操作によって発生する請求項６に記載の情報記録装置。
【請求項９】
記録予約を設定する場合に、記録対象の記録メディアの残容量と記録情報量とを比較し、比較結果を提示する請求項１に記載の情報記録装置。
【請求項１０】
前記記録メディアがＵＳＢマスストレージクラスに対応しているものである請求項１に記載の情報記録装置。
【発明の詳細な説明】
【技術分野】
【０００１】
本開示は、例えば音声信号をＳＤメモリカード、ＵＳＢ(Universal Serial Bus)メモリ等のリムーバブルな記録メディアに記録する情報記録装置に関する。
【背景技術】
【０００２】
最近のオーディオ機器として、チューナ、ＣＤプレーヤー、リムーバブルな記録メディアの記録再生部を一体に備える装置が市販されている。ＳＤメモリカード、ＵＳＢメモリ等の半導体メモリ（すなわち、フラッシュメモリ）を有するリムーバブルな記録メディアが使用される。以下、この種の記録メディアを外部メディアと適宜称する。かかるオーディオ機器では、ＣＤプレーヤーで再生された音楽、外部からの入力等を外部メディアに記録し、また、外部メディアから再生することが可能である。
【０００３】
外部メディアに対して例えばＣＤプレーヤーの再生信号を記録する場合、再生信号を外部メディアに確実に記録するために、使用する外部メディアの残容量を確認する機能を持つことが好ましい。
【０００４】
例えば特許文献１には、データ取得手段のデータ取得速度、不揮発性メモリのデータ記録速度、および揮発性メモリ（書き込みバッファ）の残空き容量から、揮発性メモリに対して情報データを記録可能な時間を求めることが記載されている。特許文献２には、フラッシュメモリが一切使用されておらず、完全に全容量が残っているかどうかを表示することが記載されている。
【先行技術文献】
【特許文献】
【０００５】
【特許文献１】特開２００５−１７５７８３号公報
【特許文献２】特開２００７−０２５８２４号公報
【発明の概要】
【発明が解決しようとする課題】
【０００６】
特許文献１では、装置内部の書き込みバッファの容量が不足して記録が中止するまでの時間を提示するものであり、外部メディアの残容量を表示することとは異なる内容のものである。特許文献２には、外部メディアの全容量が残っているか否かを表示するものであり、残容量をユーザに知らせる機能としては、不十分なものであった。
【０００７】
一般的には、外部メディアが機器に装着されると、外部メディア内の全ファイルに対してアクセスを行い、残容量の計算を行うようにされる。この方法は、外部メディア内のファイル数が多い場合等では、残容量の計算に時間がかかる問題が生じる。特に、チューナ、ＣＤプレーヤー、外部メディアの記録再生部を一体に備える装置では、コストを抑えるために、高性能のＣＰＵを搭載することができず、残容量の計算処理にかかる時間が長くなる。
【０００８】
したがって、本開示は、外部メディアの残容量を短時間で表示することが可能な情報記録装置の提供を目的とする。
【課題を解決するための手段】
【０００９】
上述の課題を解決するために、本開示は、半導体メモリを有するリムーバブルな記録メディアを装着する装着部と、
記録メディアに対して記録情報を記録する記録部と、
記録メディアの識別コードおよびファイル構造を示すデータからなる識別情報と記録メディアの容量情報とを対応付けて記憶し、記録メディアの容量情報が変化した場合に該記録メディアの容量情報が更新される記憶部と、
装着部に装着される記録メディアの識別情報と記憶部に記憶されている識別情報とが一致するか否かを判断し、一致する場合に容量情報を記憶部から取得する制御部と
を有する情報記録装置である。
【発明の効果】
【００１０】
本開示は、過去に使用したことがある外部メディアの容量情報を外部メディアの識別情報と対応付けてメモリに記憶している。したがって、外部メディアが挿入される時に、該外部メディアがメモリに登録されていれば、直ぐに残容量が判る。したがって、残容量の計算を行うためのＣＰＵの能力が低くても残容量を直ぐに表示できる。
【図面の簡単な説明】
【００１１】
【図１】本開示による情報記録装置の一実施の形態の外観を示す正面図である。
【図２】本開示による情報記録装置の一実施の形態の外観を示す上面図である。
【図３】本開示による情報記録装置の一実施の形態のブロック図である。
【図４】本開示による情報記録装置の一実施の形態のＥＥＰＲＯＭの記憶内容を表すブロック図である。
【図５】ＵＳＢメモリの識別情報の一例の説明に用いる略線図である。
【図６】ＳＤメモリカードの識別情報の一例を示す略線図である。
【図７】本開示による情報記録装置の一実施の形態の動作説明に用いるフローチャートである。
【図８】本開示による情報記録装置の一実施の形態の動作説明に用いるフローチャートである。
【図９】本開示による情報記録装置の一実施の形態における残容量表示の説明に用いる略線図である。
【図１０】本開示による情報記録装置の一実施の形態の動作説明に用いるフローチャートである。
【図１１】本開示による情報記録装置の一実施の形態における録音可能時間の表示の説明に用いる略線図である。
【図１２】本開示による情報記録装置の一実施の形態の動作説明に用いるフローチャートである。
【図１３】本開示による情報記録装置の一実施の形態における録音予約時の表示の説明に用いる略線図である。
【発明を実施するための形態】
【００１２】
以下に説明する実施の形態は、本開示の好適な具体例であり、技術的に好ましい種々の限定が付されているが、本開示の範囲は、以下の説明において、特に限定する旨の記載がない限り、これらの実施の形態に限定されないものとする。
【００１３】
「情報記録装置の一例」
本開示の一実施の形態について説明する。図１および図２を参照して本開示を適用できる情報記録装置の一例について説明する。図１は、情報記録装置１００の前面を示し、図２は、情報記録装置１００の上面を示す。情報記録装置１００の前面には、左チャンネルのスピーカ１０１Ｌと、右チャンネルのスピーカ１０１Ｒとが設けられ、前面がサランネットで覆われている。さらに、左右のチャンネルのマイクロホン１０２Ｌおよび１０２Ｒ、リモートコントロール用の赤外線の受光素子１０３が前面に設けられている。なお、本開示は、スピーカが本体と分離しており、スピーカケーブルによってスピーカとパワーアンプと接続される構成に対しても適用できる。
【００１４】
さらに、情報記録装置１００の前面のほぼ中央位置に外部メディアの装着部１０４が設けられている。装着部１０４は、横方向に延びる領域にＵＳＢジャック１０５、例えばＳＤメモリカード用のメモリカードスロット１０６、赤色ＬＥＤ(Light Emitting Diode)１０７ａおよび１０７ｂ、並びに青色ＬＥＤ１０８が配されている。赤色ＬＥＤ１０７ａは、ＵＳＢメモリに対する録音動作時に点灯し、赤色ＬＥＤ１０７ｂは、ＳＤメモリカードに対する録音動作時に点灯する。さらに、青色ＬＥＤ１０８は、ＵＳＢメモリまたはＳＤＳＤメモリカードに対してアクセス中に点灯または点滅する。
【００１５】
なお、ＵＳＢメモリおよびＳＤメモリカードは、リムーバブルな記録メディアの一例であり、他の種類のリムーバブルな記録メディアを使用しても良い。本開示の一実施の形態では、外部メディアがＵＳＢマスストレージクラスに対応しているものが使用される。したがって、ＵＳＢジャック１０５には、ＵＳＢメモリ以外に、ＵＳＢマスストレージクラスに対応している機器（ＩＣレコーダ、デジタルオーディオプレーヤー、携帯電話等）が接続可能である。
【００１６】
筐体の上面には、操作スイッチおよび表示部が設けられている。１１０が電源ボタンであり、１１１がおやすみタイマーボタンである。中央にＣＤふた１１２が位置し、ＣＤの挿入時にＣＤふた１１２が開かれる。音量調整ダイヤル１１３によって音量を増減できる。
【００１７】
さらに、ＬＣＤ（Liquid Crystal Display)表示部１１４が設けられる。ＣＤボタン１
１５、外部メディアボタン１１６、ラジオボタン１１７、外部入力／マイクボタン１１８によって、ソースの選択がなされる。さらに、予約ボタン１１９、メニューボタン１２０、上下左右の方向を指定する方向キーが周囲に配置され、中央に決定キーが配置された選択キー１２１が設けられている。さらに、再生／一時停止ボタン１２２、停止ボタン１２３、表示ボタン１２４等のボタンが設けられている。
【００１８】
上述したオーディオ機器は、録音／再生装置である。外部メディアのＵＳＢメモリまたはＳＤメモリカードに対して、ＣＤ部により再生された音楽、ラジオの受信音声、外部入力（またはマイクロホン）の音声を記録することができる。
【００１９】
一例として、ＣＤ部により再生された音楽を聴く場合には、ＣＤボタン１１５が押され、ＣＤふた１１２を開けてＣＤをセットする。ＣＤふた１１２を閉める。そして、再生／一時停止ボタン１２２が押される。ＣＤの再生が開始される。停止ボタンを押すと、再生
が終了する。
【００２０】
さらに、ＣＤの再生音楽を外部メディア例えばＵＳＢメモリに記録する操作の概略について説明する。最初に、ＵＳＢジャック１０５にＵＳＢメモリを接続すると共に、ＣＤふた１１２を開けてＣＤをセットする。メニューボタン１２０が押され、ＬＣＤ表示部１１４のメニュー表示を見ながらＵＳＢメモリに対する録音動作が設定される。ＵＳＢメモリに対する録音動作の設定が赤色ＬＥＤ１０７ａの発光によって表示される。そして、ＣＤボタン１１５を押すと、ＣＤの再生が開始されると共に、録音動作が開始する。ＳＤメモリカードに対する録音も同様になされる。停止ボタンを押すと、録音が終了する。
【００２１】
図３は、本開示の一実施の形態の電気的構成を示す。外部入力部１１からの外部入力オーディオ信号がアッテネータ１４を介してセレクタ１７の入力端子ａに供給される。チューナ部１２の出力がアッテネータ１５を介してセレクタ１７の入力端子ｂに供給される。マイクロホン１３の出力がアンプ１６を介してセレクタ１７の入力端子ｃに供給される。
【００２２】
ＣＤプレーヤー部１８からの再生デジタル信号がコーデック（図中ではＣＯＤＥＣと表記する）１９に供給される。コーデック１９は、音声データのエンコードとデコードとを行うことができる装置（またはソフトウェア）である。例えばコーデック１９がＤＳＰ(Digital Signal Processor)によって構成される。コーデック１９において復号された結果のアナログオーディオ信号がセレクタ１７の入力端子ｄに供給される。
【００２３】
コーデック１９における符号化方式としては、ＷＭＡ(Windows Media Audio)、ＡＣ−
３（ドルビーデジタル）、ＡＴＲＡＣ(Adaptive Transfer Acoustic Coding) 、ＭＰＥＧ(Moving Picture Experts Group)オーディオ用のコーデック（ＭＰ３(MPEG1 Audio Layer 3) 等の種々の方式を使用できる。さらに、複数の符号化方式の一つを選択するようにしても良い。
【００２４】
コーデック１９に対してマイクロコンピュータで構成されるＵＳＢホスト２０が接続されている。ＵＳＢホスト２０は、ＵＳＢメモリ２１およびＳＤメモリカード２２に対するインターフェースとしての機能を有する。録音は、コーデック１９から出力される符号化されたデジタルオーディオ信号がＵＳＢホスト２０を介してＵＳＢメモリ２１またはＳＤメモリカード２２に対して供給することでなされる。
【００２５】
ＣＤプレーヤー部１８の再生信号をＵＳＢメモリ２１またはＳＤメモリカード２２に対して記録する場合には、コーデック１９において、ＣＤプレーヤー部１８の再生信号がデジタルオーディオ信号に変換され、さらに、符号化される。符号化データがＵＳＢホスト２０を介してＵＳＢメモリ２１またはＳＤメモリカード２２に対して供給される。
【００２６】
さらに、セレクタ１７によって選択されたオーディオ信号をＵＳＢメモリ２１またはＳＤメモリカード２２に記録することができる。例えば入力端子ｂに供給されるチューナ部１２の出力信号がアンプ２３およびＡ／Ｄコンバータ２４を介してコーデック１９に供給される。コーデック１９において、符号化された符号化データがＵＳＢホスト２０を介してＵＳＢメモリ２１またはＳＤメモリカード２２に対して供給される。
【００２７】
セレクタ１７によって選択されたオーディオ信号は、アンプ２３と共にイコライザ２５に供給される。イコライザ２５の出力信号がパワーアンプ２６を介してスピーカ１０１に供給される。図３では、簡略化されているが、２チャンネルの再生信号経路が設けられており、スピーカ１０１は、図１におけるスピーカ１０１Ｌ、１０１Ｒと対応している。セレクタ１７の入力端子ｄには、コーデック１９からのオーディオ信号が供給される。すなわち、ＣＤプレーヤー部１８、ＵＳＢメモリ２１およびメモリカード２２の何れかの再生オーディオ信号が入力端子ｄに供給され、イコライザ２５およびパワーアンプ２６を介してスピーカ１０１に供給される。
【００２８】
さらに、装置全体を制御するコントローラ２７が設けられている。コントローラ２７は、ＣＰＵ（Central Processing Unit ）、ＲＡＭ（Random Access Memory）、フラッシュＲＯＭ（Read Only Memory）、時計回路等からなるマイクロコンピュータであり、この一実施の形態の情報記録装置の各部を制御するためのコントロール信号を発生する。例えばコントローラ２７がチューナ部１２、ＣＤプレーヤ部１８、セレクタ１７等をそれぞれ制御するコントロール信号を発生する。
【００２９】
コントローラ２７に対して、受光素子１０３、電源ボタン１１０等を含むキー２８、ＬＣＤ表示部１１４、ＬＥＤ(図示しない）およびＥＥＰＲＯＭ(Electrical Erasable Programmable ＲＯＭ）２９が接続されている。ＥＥＰＲＯＭに以外に、書き換え可能な不揮
発性メモリを記憶部として接続するようにしても良い。
【００３０】
「ＥＥＰＲＯＭの内容」
ＥＥＰＲＯＭ２９のメモリマップの一例を図４に示す。ＥＥＰＲＯＭ２９は、例えば２ｋバイトの容量を有しており、００ｈ（ｈは、１６進表記を意味する）〜２Ｆｈのアドレス範囲にＦＭプリセット放送局の周波数データが書き込まれ、３０ｈ〜３Ｆｈのアドレス範囲にＡＭプリセット放送局の周波数データが書き込まれる。
【００３１】
さらに、ＥＥＰＲＯＭ２９の下記のアドレスに５種類の接続メディア（接続された外部メディア）の識別子（ＩＤと称する）とそれぞれの残容量とが記憶される。
５０ｈ：接続メディア１のＩＤ、５２ｈ：接続メディア１の残容量
５６ｈ：接続メディア２のＩＤ、５８ｈ：接続メディア２の残容量
５Ｃｈ：接続メディア３のＩＤ、５Ｅｈ：接続メディア３の残容量
６２ｈ：接続メディア４のＩＤ、６４ｈ：接続メディア４の残容量
６６ｈ：接続メディア５のＩＤ、６８ｈ：接続メディア５の残容量
アドレスの６ＥｈからＦＦｈの範囲は、空き領域とされる。
【００３２】
接続メディア１〜接続メディア５のそれぞれは、ＵＳＢメモリ２１またはＳＤメモリカード２２であり、両者が混在しても良い。すなわち、ＥＥＰＲＯＭ２９には、装着部（ＵＳＢジャック１０５またはメモリカードスロット１０６）に装着された最新の記録メディアから遡って５個の異なる記録メディアのメディアＩＤと残容量とが記憶される。したがって、ＥＥＰＲＯＭ２９に未登録の外部メディアが接続されると、最も前の時点で接続された外部メディアの情報に代えて新しく接続された外部メディアのメディアＩＤと残容量とがＥＥＰＲＯＭ２９上に記憶される。
【００３３】
記憶する記録メディアの個数は、５個以外であっても良いが、ＣＤのようなメディアと異なり、ユーザが良く使用する数個の情報を記憶しておけば、通常使用上、問題が少ないと考えられる。５個の外部メディアの一例を以下に示す。
外部メモリスロット付きＩＣレコーダ（２台）。
ＵＳＢメモリ（１個）
ＳＤメモリカード（２枚）
【００３４】
残容量の単位の一例は、記録可能時間（時間である）である。本開示の一実施の形態では、記録時のデータレートが例えば１２８ｋbpsであり、残容量をこのデータレートで除
算した結果が記録可能時間となる。すなわち、ファイルサイズと録音可能時間の関係は、下記の式で表される。
ファイルサイズ［byte］＝１２８［ｋbps］／８×録音可能時間［sec］
録音可能時間［hour］＝ファイルサイズ［byte］×（８／１２８）／３６００
【００３５】
但し、残容量の表記は、時間以外にメモリの残量（バイト数）を直接的に表示しても良く、記録可能時間とメモリの残量とを併記しても良い。さらに、ＥＥＰＲＯＭ２９に未登録の外部メディアの場合には、外部メディアにアクセスして残容量を求める処理が必要とされる。一方、登録済の外部メディアの場合では、外部メディアに対してのアクセスは不要であり、ＥＥＰＲＯＭ２９からメディアＩＤが一致するものの残容量情報を読み出せば良い。録音等でメモリ容量を使用した場合には、その使用分が以前の容量から減算されるように、残容量の値が更新される。
【００３６】
メディアＩＤは、外部メディアを特定するための情報である。例えば製品名と対応する製品コードと、ユーザによって書き込まれたＦＡＴ(File Allocation Table)情報（ファ
イル、ディレクトリ構造）とによって、メディアＩＤが構成される。メディアＩＤは、同一製品のメディアであり、同一の記録情報であることを特定するための情報である。
【００３７】
一例として、製品コードに対して５バイトが確保される。図５は、ＵＳＢメモリのＵＳＢ記述子(Descriptor)の中の装置記述(Device Descriptor）の具体列を示す。ＵＳＢメモリ（ＵＳＢ装置）は、一つの装置記述しか持つことができない。装置記述は、適合するＵＳＢバージョン、適切なドライバを読み込むための供給者ＩＤ(idVendor)、製品ＩＤ(idProduct)、装置が持っている利用可能な設定数等の情報を含んでいる。
【００３８】
供給者ＩＤ(idVendor)は、ＵＳＢ協会によって割り当てられた供給者識別コードである。製品ＩＤ(idProduct)は、製造（供給）者によって割り当てられた製品識別コードであ
る。ＵＳＢメモリの場合では、製品ＩＤ(idProduct)がメディアＩＤの製品コードとして
利用される。図５Ａに示すＵＳＢメモリの製品ＩＤ(idProduct)は、０ｘ０２Ｄ５（０ｘ
は、１６進の表記であることを示す）である。一方、図５Ｂに示す他のＵＳＢメモリの製品ＩＤ(idProduct)は、０ｘ０２４３である。これらの異なる製品ＩＤによってＵＳＢメ
モリを区別することができる。さらに、ＦＡＴ情報によって、二つのＵＳＢファイルを識別できる。
【００３９】
さらに、ＳＤメモリカードの場合では、図６に示すＣＩＤ(Card IDentification)レジ
スタの内容に含まれる製品名(Product name)が製品コードとして利用される。製品名は、製造（供給）者によって割り当てられた製品識別コードである。
【００４０】
ＦＡＴ情報は、例えばファイルやディレクトリのデータ領域における配置（クラスタ・チェーン）を同一か否かを判定するのに必要な量のデータを保存し、保存したデータを演算（例えば加算）して下位の数バイトを抽出したようなデータである。
【００４１】
外部メディアが接続されると、外部メディアからメディアＩＤ（製品コードおよびＦＡＴ情報）が読み取られ、コントローラ２７において、読み取られたメディアＩＤとＥＥＰＲＯＭ２９に保存されている５個のメディアＩＤとのそれぞれとの一致が検出される。例えば二つのメディアＩＤの排他的論理和を演算することによって、一致するか否かの判定結果を得ることができる。なお、例えば一方が他方をコピーすることによって作成された場合のように、同一の製品コードの外部メディアであって、全く同じ状態のＦＡＴ情報を持つ二つの外部メディアは、同一デバイスとして判定される。
【００４２】
「一実施の形態における処理」
以下、コントローラ２７において、ソフトウェアによって実行される、本開示の一実施の形態の処理について説明する。最初に、図７を参照して、外部メディアの検出から残容量表示準備完了までの処理の流れを説明する。
【００４３】
図７のステップＳ１において、外部メディアが挿入されたことが検出される。ステップＳ２において、当該外部メディアのメディアＩＤが調べられる。すなわち、製品コードおいてＦＡＴ情報の解析がなされる。
【００４４】
ステップＳ３において、接続された外部メディアのメディアＩＤがＥＥＰＲＯＭ２９内のリストにおいて検索される。ステップＳ４において、検索の結果、接続された外部メディアのメディアＩＤがＥＥＰＲＯＭ２９に保存されたメディアＩＤにヒットしたか否かが判定される。
【００４５】
ヒットした場合、ステップＳ５において、ＥＥＰＲＯＭ２９から保存データ（残容量データ）が読み出され、残容量表示準備完了（ステップＳ８）の状態となる。ステップＳ４において、接続された外部メディアのメディアＩＤがＥＥＰＲＯＭ２９に保存されたメディアＩＤにヒットしないと判定されると、処理がステップＳ６に移る。
【００４６】
ステップＳ６において、残容量の計算が開始される。この残容量の計算は、接続された外部メディアの全ファイルに対してアクセスを行い、当該外部メディアの残容量を実際に求める処理である。求められた残容量がステップＳ７において、ＥＥＰＲＯＭ２９に記憶される。そして、残容量表示準備完了（ステップＳ８）の状態となる。
【００４７】
上述したように、新規に残容量計算が必要な場合でも、外部メディアが挿入された直後から計算を開始し、当該外部メディアがオーディオ再生、録音等で使用されていないタイミング（例えば録音開始前、予約録音の登録時等）では、余程大きな容量を持つ外部メディアでない場合、残容量表示可能状態となっている。なお、外部メディアの再生中、外部メディアに対する録音中に、残容量計算を並行して行っても良い。しかしながら、そのためには、高性能のＣＰＵが必要とされるので、本開示の一実施の形態のように、汎用のＣＰＵの使用する場合には、並行処理は、行わない処理としている。
【００４８】
次に、図８のフローチャートを参照して、メニュー画面から「録音可能時間」の表示要求時の処理の流れについて説明する。ステップＳ１１において、設定ボタン（メニューボタン１２て０）が押される。ステップＳ１２に示すように、ＬＣＤ表示部１１４の画面にメニュー画面が表示される。
【００４９】
選択キー１２１の操作によって、外部メディアとしてＵＳＢメモリとＳＤメモリとの一方が選択される（ステップＳ１３）。さらに、選択キー１２１の操作によって、残容量表示のメニューが選択される（ステップＳ１４）。処理がステップＳ１５に移り、ステップＳ１５において、残容量表示準備完了状態か否かが判定される。
【００５０】
ステップＳ１５において、残容量表示準備完了状態と判定されると、ステップＳ１６において、残容量表示がなされる。一方、 ステップＳ１５において、残容量表示準備完了
状態でないと判定されると、ステップＳ１７において、残容量表示の代わりに「未計算」の表示がなされる。
【００５１】
図９に残容量表示の一例を示す。一実施の形態では、録音可能時間と、空き容量の値とがＬＣＤ表示部１１４上に表示される。「未計算」の表示としては、このメッセージ自体の表示、「計算中です」のような表示等が可能である。外部メディアを装着した場合には、図７のフローチャートで示す処理によって、残容量が計算されるはずである。しかしながら、ＥＥＰＲＯＭ２９のリストにない外部メディアが装着されたような場合には、当該メディアの全ファイルにアクセスするために、残容量計算に時間がかかる。したがって、残容量表示要求がされた時点で、残容量の計算が完了していない場合がある。そのような場合に、ステップＳ１７の処理（「未計算」の表示）がなされる。
【００５２】
次に、図１０のフローチャートを参照して録音可能なファンクションが設定されている状態において、表示ボタン１２４が押された場合の処理の流れを説明する。ステップＳ２１が録音可能なファンクションが設定されている状態を表す。録音可能なファンクションの例は、ＣＤボタン１１５が押されてＣＤプレーヤ部１８によってＣＤの再生が可能な状態である。同様に、ラジオボタン１１７が押されてチューナ部１２の受信信号が選択されている状態、並びに外部入力／マイクボタン１１８が押されて外部入力部１１またはマイクロホン１３の出力が選択されている状態も録音可能なファンクションの一つである。
【００５３】
録音可能なファンクションの設定状態において、表示ボタン１２４が押される（ステップＳ２２）。ステップＳ２３において、残容量表示準備完了状態か否かが判定される。残容量表示準備完了状態と判定されると、ステップＳ２４において、ＬＣＤ表示部１１４において、残容量が録音時間として表示される。一方、 ステップＳ２３において、残容量
表示準備完了状態でないと判定されると、ステップＳ２５において、残容量表示の代わりに「未計算」の表示がなされる。
【００５４】
図１１に残容量表示の一例を示す。図１１の例は、チューナ部１２の所定のチャンネルの放送が選択されている場合で、当該放送チャンネルの情報と残容量（時間）の情報とがＬＣＤ表示部１１４に表示される。このように、録音可能なファンクションの設定状態において、表示ボタン１２４を押すのみで、残容量時間を表示することができるので、次に、録音操作を行うかどうかをユーザが判断する上で有益な情報を提供できる。なお、録音中に表示ボタンを押した場合でも、残容量表示が可能とされている。
【００５５】
特に、ＵＳＢメモリ、ＳＤメモリカード等では、コンパクトカセットのように、現在の再生位置、現在の録音位置、残容量を視覚的に認識できないので、ユーザが録音操作を行った場合に、意図に反して録音途中で残容量がなくなるおそれがある。本開示によってこのようなリスクを回避できる。なお、録音動作がなされた場合には、録音に要したメモリの容量が以前の容量から減算される。
【００５６】
次に、図１２のフローチャートを参照して予約録音登録時の処理の流れについて説明する。ステップＳ３１において、録音予約登録がなされる。すなわち、放送局、曜日、開始時刻、終了時刻、毎週録画の設定等の設定がＬＣＤ表示部１１４の表示を見ながら選択キー１２１によって設定される。ステップＳ３２において、録音先の外部メディアが選択される。実際に装着されている外部メディア（ＵＳＢメモリおよびＳＤメモリカードの一方）が録音先として設定される。
【００５７】
ステップＳ３３において、録音先として設定された外部メディアの解析がなされる。すなわち、メディアＩＤが外部メディアから読み込まれる。ステップＳ３４において、残容量表示準備完了か否かが判定される。残容量表示準備完了は、読み込まれたメディアＩＤと対応する残容量データが取得された状態を意味する。すなわち、読み込まれたメディアＩＤがＥＥＰＲＯＭ２９内のリスト内のメディアＩＤとヒットして対応する残容量データが読み出された状態、または検索の結果、ヒットしない場合に、新たな残容量データが計算された状態である。
【００５８】
ステップＳ３４において、残容量表示準備完了と判定されると、ステップＳ３５において、予約された放送番組の時間に対して残容量が足りているか否かが判定される。残容量が足りていると判定されると、ステップＳ３６において正常完了表示がなされ、録音予約登録が完了する（ステップＳ３９）。
【００５９】
ステップＳ３４において、残容量表示準備完了でないと判定されると、ステップＳ３７において、一般警告表示がなされる。例えば録音予約がなされ、外部メディアが接続された段階でも、残容量計算中であるような場合、ステップＳ３７に処理が移る。一般警告表示がなされてから、録音予約登録が完了する（ステップＳ３９）。
【００６０】
ステップＳ３４において、残容量表示準備完了と判定され、ステップＳ３５において、予約された放送番組の時間に対して残容量が不足と判定されると、ステップＳ３８において残容量不足の警告表示がなされてから、録音予約登録が完了する（ステップＳ３９）。
【００６１】
図１３Ａは、ＬＣＤ表示部１１４においてなされるステップＳ３６の正常完了表示の一例である。図１３Ｂは、ＬＣＤ表示部１１４においてなされるステップＳ３７の一般警告表示の一例である。図１３Ｃは、ＬＣＤ表示部１１４においてなされるステップＳ３８の残容量不足の警告表示の一例である。これらの表示は、一例であって他のメッセージを表示するようにしても良い。
【００６２】
「一実施の形態の効果」
本開示の一実施の形態による効果は、以下の通りである。
・通常は、メモリ容量が大きくなると、残容量計算に時間がかかるが、本開示によれば、一旦、機器内で残容量計算が終了した外部メディアであれば、メモリ容量に依存せずに即座に残容量を知ることができる。
・記録メディアがカセットテープから外部メディアに変わりつつあるオーディオ機器において、残容量を簡単にモニタすることができ、利便性が向上する。
・高速なＣＰＵを持たないオーディオ機器であっても、高速に外部メディアの残容量を提示することができる。
・ユーザ操作がない期間に新規な残容量計算を行うことによって、並列処理に適さないＣＰＵを持つシステムであっても、高速に外部メディアの残容量を提示することができる。
・ユーザが記録前に残容量情報を容易に確認することができ、これから録音しようとする時間に対して不足がないことを確認することができる。したがって、録音が途中で途切れることを事前に防止することができる。
・予約録音設定時に、残容量の不足を警告することができるので、必要に応じて外部メディアを交換する等、ユーザの対応を促すことができる。
・ＳＤメモリカード等の外部メディアが一般的なＵＳＢマスストレージクラスにして対応していれば、パーソナルコンピュータを起動しないでも、起動の速いオーディオ機器によって容易に残容量を確認することができる。
【００６３】
なお、本開示は、以下のような構成も取ることができる。
（１）
半導体メモリを有するリムーバブルな記録メディアを装着する装着部と、
前記記録メディアに対して記録情報を記録する記録部と、
前記記録メディアの識別コードおよびファイル構造を示すデータからなる識別情報と前記記録メディアの容量情報とを対応付けて記憶し、前記記録メディアの容量情報が変化した場合に該記録メディアの前記容量情報が更新される記憶部と、
前記装着部に装着される記録メディアの識別情報と前記記憶部に記憶されている識別情報とが一致するか否かを判断し、一致する場合に前記容量情報を前記記憶部から取得する制御部と
を有する情報記録装置。
（２）
前記装着部に装着される記録メディアの識別情報と前記記憶部に記憶されている識別情報とが一致しない場合に、装着されている前記記録メディアに対してアクセスすることによって、容量情報を取得する（１）に記載の情報記録装置。
（３）
前記容量情報を取得する処理は、記録メディアに対するアクセス操作が指示されていない期間でなされる（１）および（２）の何れかに記載の情報記録装置。
（４）
前記記憶部は、前記装着部に装着された最新の記録メディアから遡って所定個数の異なる前記記録メディアに関して、前記容量情報を記憶する（１）（２）および（３）の何れかに記載の情報記録装置。
（５）
複数種類の前記記録メディアの識別情報と前記容量情報とが前記記憶部に記憶される（１）（２）（３）および（４）の何れかに記載の情報記録装置。
（６）
前記制御部が取得した前記容量情報を要求に応じて提示する（１）（２）（３）（４）および（５）の何れかに記載の情報記録装置。
（７）
前記要求がメニュー操作に応じて発生する（１）（２）（３）（４）（５）および（６）の何れかに記載の情報記録装置。
（８）
前記要求が記録可能な状態におけるキー操作によって発生する（１）（２）（３）（４）（５）（６）および（７）の何れかに記載の情報記録装置。
（９）
記録予約を設定する場合に、記録対象の記録メディアの残容量と記録情報量とを比較し、比較結果を提示する（１）（２）（３）（４）（５）（６）（７）および（８）の何れかに記載の情報記録装置。
（１０）
前記記録メディアがＵＳＢマスストレージクラスに対応しているものである（１）（２）（３）（４）（５）（６）（７）（８）および（９）の何れかに記載の情報記録装置。
【００６４】
「変形例」
以上、本開示の実施形態について具体的に説明したが、上述の各実施形態に限定されるものではなく、本開示の技術的思想に基づく各種の変形が可能である。例えば、上述した実施の形態では、音声信号の記録に対して本開示を適用した例であるが、音声信号以外の画像信号、テキストデータ等の記録に対して本開示を適用しても良い。
【符号の説明】
【００６５】
１１・・・外部入力部
１２・・・チューナ部
１３・・・マイクロホン
１７・・・セレクタ
１８・・・ＣＤプレーヤ部
２１・・・ＵＳＢメモリ
２２・・・ＳＤメモリカード
２７・・・コントローラ
２９・・・ＥＥＰＲＯＭ
１００・・・情報記録装置
１０１，１０１Ｌ，１０１Ｒ・・・スピーカ
１０４・・・外部メディアの装着部
１０５・・・ＵＳＢジャック
１１４・・・ＬＣＤ表示部
【図１】
2013089277.tif 000003
【図２】
2013089277.tif 000004
【図３】
2013089277.tif 000005
【図４】
2013089277.tif 000006
【図５】
2013089277.tif 000007
【図６】
2013089277.tif 000008
【図７】
2013089277.tif 000009
【図８】
2013089277.tif 000010
【図９】
2013089277.tif 000011
【図１０】
2013089277.tif 000012
【図１１】
2013089277.tif 000013
【図１２】
2013089277.tif 000014
【図１３】
2013089277.tif 000015